(57)【要約】【課題】大掛かりな天井クレーンや移動台車を用いる必要がなく、また傾注樋の複雑な取替え作業を必要としない傾注樋取り替え方法とその装置を提供する。【解決手段】高炉から出銑された溶銑および溶滓を輸送車両に注入する傾注樋の取り替え方法において、前記傾注樋の上方に、該傾注樋を昇降させる昇降装置と可搬式架台とで構成する可搬式昇降装置を配設し、該可搬式昇降装置により、前記傾注樋を下降させて搬出することを特徴とする高炉傾注樋の取り替え方法および取り替え装置。【選択図】　　　図１
2004076033.tif 000002
【特許請求の範囲】
【請求項１】
高炉から出銑された溶銑および溶滓を輸送車両に注入する傾注樋の取り替え方法において、前記傾注樋の上方に、該傾注樋を昇降させる昇降装置と可搬式架台とで構成する可搬式昇降装置を配設し、該可搬式昇降装置により、前記傾注樋を下降させて搬出することを特徴とする高炉傾注樋の取り替え方法。
【請求項２】
高炉から出銑された溶銑および溶滓を輸送車両に注入する傾注樋の取り替え装置において、前記傾注樋の上方に、該傾注樋を昇降させる昇降装置と可搬式架台とで構成する可搬式昇降装置を配設したことを特徴とする高炉傾注樋の取り替え装置。
【発明の詳細な説明】
【０００１】
【発明の属する技術分野】
本発明は、高炉から出銑された溶銑および溶滓を輸送車両に注入する傾注樋の取り替え方法および取り替え装置に関する。
具体的には、高炉鋳床において、溶銑、溶滓を鍋車やトピードカーの輸送車両に切り替えて注入する際用いる傾注樋の取り替え方法および取り替え装置に関する。
【０００２】
【従来の技術】
高炉鋳床に設置される傾注樋は溶銑、溶滓を２台の輸送車両に切り替えて注入するために用いられ、溶銑、溶滓による耐火物の侵食のため定期的に取り外して補修される。
従来、この補修のために傾注樋を取り外すには、鋳床上に設置した大型天井クレーンにて傾注樋を吊り上げ、補修場所へと移動していた。
この際、傾注樋の上には傾注樋に注入する注入樋があるため、傾注樋を水平方向に移動させる必要があった。
また、取り替え前の傾注樋には、溶銑、溶滓が付着、固化するため、傾注樋の重量に対して過大な仕様の天井クレーンを配していた。
【０００３】
図２は、従来の傾注樋の一般的な取り替え方法示す図である。
図２において、横方向または縦方向に走行する天井クレーン１１で傾注樋１を吊り、矢印で示す方向に、傾注樋への注入樋４と干渉しない位置まで天井クレーン１１を水平移動させた後、傾注樋１を鋳床８の上まで吊り上げて取り外し、取り外した傾注樋１は天井クレーンおよび輸送車両にて補修場へと輸送されており、多大な設備費、労力、時間がかかっていた。
前述のような天井クレーンを用いない方法としては、例えば、実開昭５４−１３９０８号公報に、天井クレーン１１の代わりにモノレールと電動ホイストを用い傾注樋の取出し装置が提案されているが、この従来技術に用いるホイストのレールは傾注樋への注入樋４に対して反対方向に敷設される必要があり、モノレールの受け架台が日常作業の支障となるという問題点があった。
【０００４】
図３は、従来の傾注樋を傾注樋への注入樋と干渉しない位置まで台車で移動する取り替え方法を示す図である。
図３において、傾注樋１の駆動装置２および傾注樋受け台３を移動台車１２に搭載する構造とし、矢印で示す方向に、傾注樋１を移動台車１２で水平移動させた後、天井クレーン１１のような吊り上げ装置にて取り外す方法が一般に用いられおり、この方法も、多大な設備費、労力、時間がかかっていた。
この移動台車を用いない方法として、例えば、実開　平成０２−２２３５４公報には、円弧形状のレールと傾注樋外周に複数個の車輪を設け、回転させる方法で注入樋との干渉を回避する構造が提案されているが、設備費、労力、時間を軽減するには至っていなかった。
【０００５】
このように、従来の高炉傾注樋の取り替え方法は、傾注樋をクレーンで吊り上げるので、傾注樋を注入樋と干渉しない位置まで水平移動させる事前作業または専用の移動装置が必要であり、多大な設備費、労力、時間がかかっていた。
さらに、出銑口前の大樋が固定式の高炉鋳床上において、補修等のため天井クレーンで吊り上げる最大の重量物は傾注樋であり、天井クレーンの吊り能力は、傾注樋に溶銑が付着，固化した地金の不確実な重量を過剰に見込んでその能力を決定していたため、過大な設備仕様となっていた。
【０００６】
【発明が解決しようとする課題】
本発明は、前述のような従来技術の問題点を解決し、大掛かりな天井クレーンや移動台車を用いる必要がなく、また傾注樋の複雑な取替え作業を必要としない傾注樋取り替え方法とその装置を提供することを課題とする。
【０００７】
【課題を解決するための手段】
本発明は、前述の課題を解決するために鋭意検討の結果なされたものであり、傾注樋上に吊り上げ吊り下ろし用可搬式架台を設置し、巻き上げ装置を用いて当該傾注樋の取替えを行うことにより、大掛かりな天井クレーンや移動台車を用いる必要がなく、また傾注樋に複雑な取替え作業を必要としない傾注樋取り替え方法とその装置を提供するものであり、その要旨とするところは特許請求の範囲に記載した通りの下記内容である。
【０００８】
（１）　高炉から出銑された溶銑および溶滓を輸送車両に注入する傾注樋の取り替え方法において、前記傾注樋の上方に、該傾注樋を昇降させる昇降装置と可搬式架台とで構成する可搬式昇降装置を配設し、該可搬式昇降装置により、前記傾注樋を下降させて搬出することを特徴とする高炉傾注樋の取り替え方法。
（２）　高炉から出銑された溶銑および溶滓を輸送車両に注入する傾注樋の取り替え装置において、前記傾注樋の上方に、該傾注樋を昇降させる昇降装置と可搬式架台とで構成する可搬式昇降装置を配設したことを特徴とする高炉傾注樋の取り替え装置。
【０００９】
【発明の実施の形態】
本発明の実施形態を、図１を用いて詳細に説明する。
図１は、本発明における高炉傾注樋の取り替え方法および装置の実施形態を示す図である。
図１において、傾注樋１上に可搬式でフレーム構造の可搬式架台５を設置し、傾注樋１の昇降装置として巻き上げ装置６を併設または架台に搭載して、可搬式昇降装置を構成する。この可搬式昇降装置は、日常作業の障害とならぬよう、鋳床上の天井クレーンで搬送可能な重量、構造とする。
【００１０】
傾注樋１は駆動装置２と受け台３により支持され、傾注樋への注入樋４から受けた溶銑、溶滓を下に並んだ２台の輸送車両に切り替えて注入する。
傾注樋１を取り替えるに当たり、可搬式架台５と巻上げ装置６を鋳床８上に設置し、ワイヤー７にて傾注樋１を吊り上げる。傾注樋受け軸引出し装置９によりそれまで傾注樋１を支持していた軸を抜き取り、巻上げ装置６を緩めることで、下に配したトラック１０上に傾注樋１を載せる。
このようにして、図１の矢印で示すように、傾注樋１を下側に排出することにより、従来のように注入桶との干渉を避けるために、大掛かりな天井クレーンや移動台車を用いる必要がないうえ、傾注樋の複雑な取替え作業を必要としない。
【００１１】
【本発明の効果】
本発明により、本発明は、大掛かりな天井クレーンや移動台車を用いる必要がなく、また傾注樋の複雑な取替え作業を必要としない傾注樋取り替え方法とその装置を提供することができる。
具体的には、天井クレーンの吊り能力を小さくすることができ、傾注樋への注入樋の先端の取り外し作業や、傾注樋を水平移動させる事前作業をなくすことができるなど、産業上有用な著しい効果を奏する。
【図面の簡単な説明】
【図１】本発明における高炉傾注樋の取り替え方法および装置の実施形態を示す図である。
【図２】従来の傾注樋の一般的な取り替え方法示す図である。
【図３】従来の傾注樋を傾注樋への注入樋と干渉しない位置まで台車で移動する取り替え方法を示す図である。
【符号の説明】
１：傾注樋、
２：駆動装置、
３：傾注樋受け台、
４：傾注樋への注入樋、
５：可搬式架台、
６：巻上げ装置、
７：ワイヤー、
８：鋳床、
９：傾注樋受け軸引出し装置、
１０：トラック、
１１：天井クレーン、
１２：傾注樋移動台車
【図１】
2004076033.tif 000003
【図２】
2004076033.tif 000004
【図３】
2004076033.tif 000005